(57)【要約】  【課題】  包装を破るだけで薬液を含浸した綿棒を取り出せる手間いらずタイプの綿棒容器において、薬液が綿棒の軸を濡らすという事態を防止できる綿棒容器を提供する。  【解決手段】  綿棒容器１０は容器本体２０とその上面開口をシールするフィルム状の蓋体３０を備える。容器本体２０には綿棒１の綿球部２を入れる綿球部収納凹部２１、綿棒１の軸尾３ａを入れる軸尾収納凹部２２、及び軸３の中間部分を入れる中間部分収納凹部２３が形成される。中間部分収納凹部２３には、綿棒１のネック部に向かって突出し、軸３を両側から挟んで保持するリブ２４ａ、２４ｂ、２４ｃと、軸３を下から支える枕部２５ａ、２５ｂ、２５ｃ、２５ｄが形成される。リブ２４ａ、２４ｃは中間部分収納凹部２３の一方の内壁から、リブ２４ｂは他方の内壁からと、互い違いにリブが形成される。【選択図】      図２
2006036227.tif 000002
【特許請求の範囲】
【請求項１】
軸の一端に薬液を含浸した綿球部が取り付けられた綿棒を入れる容器本体と、この容器本体の上面開口をシールするフィルム状の蓋体とを備えた綿棒容器において、
前記容器本体は一端に綿球部収納凹部、他端に軸尾収納凹部を備え、この容器本体の内面には綿棒の軸を両側から挟んで保持するリブ及び前記軸を下から支える枕部が形成されていることを特徴とする綿棒容器。
【請求項２】
前記リブは、平面的に見て、綿棒の綿球部を前記綿球部収納凹部の中央に保持する一方で、綿棒の軸尾を前記軸尾収納凹部の片側に寄せて保持するものであることを特徴とする請求項１に記載の綿棒容器。
【請求項３】
前記リブは、前記容器本体の両側の内壁から互い違いに突出するものであることを特徴とする請求項１又は２に記載の綿棒容器。
【請求項４】
前記綿球部収納凹部と軸尾収納凹部の間に、綿棒の綿球部と軸尾の中間部分を収納する中間部分収納凹部が形成されるとともに、この中間部分収納凹部は綿球部収納凹部及び軸尾収納凹部よりも浅く形成されていることを特徴とする請求項１〜３のいずれか１項に記載の綿棒容器。
【請求項５】
前記枕部が綿棒の長さ方向に沿って複数箇所に形成されるとともに、これら複数の枕部は、軸尾側のものほど高く形成されていることを特徴とする請求項１〜４のいずれか１項に記載の綿棒容器。
【請求項６】
前記容器本体の上面に前記蓋体の溶着用凸条が、前記綿球部収納凹部、中間部分収納凹部、及び軸尾収納凹部を囲んでループ状に形成されるとともに、この溶着用凸条には、綿球部収納凹部の中間部の位置に溶着面積拡張部が形成されていることを特徴とする請求項４又は５に記載の綿棒容器。
【請求項７】
前記容器本体を複数個、分断可能な接続部を介して連設したことを特徴とする請求項１〜６のいずれか１項に記載の綿棒容器。
【請求項８】
前記容器本体の個数を３としたことを特徴とする請求項７に記載の綿棒容器。
【発明の詳細な説明】
【技術分野】
【０００１】
本発明は、未使用の綿棒を封入する容器に関する。
【背景技術】
【０００２】
外科医療では、軸端に綿球を取り付けた綿棒が頻繁に使用される。通常は、ビンや袋に詰められた未使用の綿棒の中から何個かを取り出し、それらの綿球部を万能つぼやステンレスバットなどの容器に入れる。そしてポピドンヨード、塩化ベンザルコニウム、塩化ベンゼトニウム、グルコン酸クロルヘキシジン、塩酸アルキルアミノエチルグリシン、消毒用エタノール、イソプロパノールといった消毒薬などの薬液を綿球部に含浸する。薬液が綿球部に十分含浸したら軸をつまんで綿棒を取り上げ、手術部位や創傷部などの患部に薬液を塗布する。
【０００３】
このようにその都度綿棒に薬液を含浸させていたのでは、必要以上の数の綿棒に薬液を含浸させてしまう可能性がある。薬液含浸後の綿棒を空気中に放置しておくと、薬液が時間の経過とともに揮発したり成分が変質したりし、所期の薬効を得られなくなる。また空気中の細菌や胞子類が綿棒に付着し、繁殖するおそれもある。従って、医療行為が一段落すれば、使用した綿棒も使用しなかった綿棒も一緒に廃棄せざるを得ない。これは資源の無駄である。
【０００４】
また、一刻を争う事態が発生したときに薬液含浸作業を行うと、急ぐあまりに薬液の調製を間違えたり、綿球部に注ぐ量を誤ったりして、不適切な綿棒を作ってしまう可能性も大きい。
【０００５】
そして、万能つぼやステンレスバットなどの容器は使用の度に洗浄、滅菌、乾燥を行わねばならず、手間がかかる。また薬液はその都度計量、希釈などして調製することになるが、薬液の入った瓶の蓋の開け閉めが度重なると、薬液が空気中の水分を吸収して有効成分の濃度が低下したり、薬液成分が揮発したり、薬液成分が空気に触れて分解したりして薬液の効力が低下するという問題もある。
【０００６】
これらの問題に対処するため、１本からせいぜい３本くらいの綿棒を薬液と共に容器に密封するというアイデアが生まれた。例えば特許文献１には綿球に消毒液をしみ込ませた綿棒を１本ずつ気密性樹脂製フィルム内に滅菌密封した包装形態が開示されている。特許文献２には１回の消毒作業に必要な量の消毒液と綿棒を袋状密封体に収納した包装形態が開示されている。特許文献３には薬液と綿棒を別の区画に収め、薬液側の区画に圧力をかけることにより薬液が綿棒側に出て含浸するようにした包装形態が開示されている。特許文献４には綿棒と薬液を隣接した状態で包装材料内に収納し、綿棒で隔離部を破断して綿棒を薬液に接触させるようにした包装形態が開示されている。特許文献５には容器内に薬液袋と綿棒を配置し、容器の上方開口を閉成する剥離材を剥離すると薬液袋が破れて薬液が綿棒に含浸する構造の包装形態が開示されている。
【特許文献１】実開平６−１１７２１号公報（第６−７頁、図１−４）
【特許文献２】実用新案登録第２５５７９１４号公報（第２−３頁、図１−３）
【特許文献３】実用新案登録第３０７７９８８号公報（第３−４頁、図１−３）
【特許文献４】実開平７−３９８１８号公報（第４−６頁、図１−２）
【特許文献５】特開平１０−８６９７７号公報（第３−５頁、図１−９）
【発明の開示】
【発明が解決しようとする課題】
【０００７】
特許文献１、２に開示された包装形態は、予め薬液を含浸させた状態の綿棒を包装している。この場合、綿棒の綿球部に含浸させた薬液が往々にして軸側にしみ出し、軸の外面を濡らす。薬液で濡れた箇所に指が触れると指が薬液で汚れるので、手を拭いたり洗ったりしなければならない。薬液が指に付着したにもかかわらず、それを気付かないでいると、あちこちに薬液をつけて回ることになる。また、薬液で濡れた軸をつまんでいると軸が滑って指から離れる可能性もある。さらに、保管時や輸送時に包装が外圧を受けると綿球部が押しつぶされて使用しづらく、また、綿球部から薬液が押し出されて薬液量不十分になってしまう可能性がある。特許文献１、２に開示された包装形態はいずれも、これらの問題に対し有効な対策が講じられていない。
【０００８】
特許文献３、４、５に開示された包装形態では、綿棒と薬液とは別々の区画に封入されており、使用直前に薬液の区画を破って綿棒に含浸させる。この構成によれば、薬液が綿棒の軸を濡らす可能性は比較的低い。しかしながら正確に計量した薬液をノズルから綿球部に含浸させるのと異なり、手作業で綿球部に薬液を含浸させるので、軸の部分にまで薬液を広げてしまう可能性は否定できない。加えて、このような薬液分離方式の包装形態は、構造が複雑化して製造コストがかさむうえ、綿球部に薬液を含浸させた使用可能状態の綿棒が得られるまでに時間がかかるという問題もある。
【０００９】
本発明は上記の点に鑑みてなされたものであり、包装を破るだけで薬液を含浸した綿棒を取り出せる、手間いらずタイプの綿棒容器において、薬液が綿棒の軸を濡らすという事態を防止できる綿棒容器を提供することを目的とする。また、綿棒の取り出しが容易な綿棒容器を提供することを目的とする。さらに、綿球部の外圧による変形を防止することで使い易く、且つ薬液量の減少を招くことなく所望量の薬液を含浸し続けさせることのできる綿棒容器を提供することを目的とする。
【課題を解決するための手段】
【００１０】
（１）上記目的を達成するため、本発明では、軸の一端に薬液を含浸した綿球部が取り付けられた綿棒を入れる容器本体と、この容器本体の上面開口をシールするフィルム状の蓋体とを備えた綿棒容器において、前記容器本体は一端に綿球部収納凹部、他端に軸尾収納凹部を備え、この容器本体の内面には綿棒の軸を両側から挟んで保持するリブ及び前記軸を下から支える枕部を形成する。
【００１１】
（２）また本発明では、前記構成の綿棒容器において、前記リブは、平面的に見て、綿棒の綿球部を前記綿球部収納凹部の中央に保持する一方で、綿棒の軸尾を前記軸尾収納凹部の片側に寄せて保持するものとする。
【００１２】
（３）また本発明では、前記構成の綿棒容器において、前記リブは、前記容器本体の両側の内壁から互い違いに突出するものとする。
【００１３】
（４）また本発明では、前記構成の綿棒容器において、前記綿球部収納凹部と軸尾収納凹部の間に、綿棒の綿球部と軸尾の中間部分を収納する中間部分収納凹部を形成するとともに、この中間部分収納凹部は綿球部収納凹部及び軸尾収納凹部よりも浅く形成する。
【００１４】
（５）また本発明では、前記構成の綿棒容器において、前記枕部が綿棒の長さ方向に沿って複数箇所に形成されるとともに、これら複数の枕部は、軸尾側のものほど高く形成されている。
【００１５】
（６）また本発明では、前記構成の綿棒容器において、前記容器本体の上面に前記蓋体の溶着用凸条を、前記綿球部収納凹部、中間部分収納凹部、及び軸尾収納凹部を囲んでループ状に形成するとともに、この溶着用凸条には、綿球部収納凹部の中間部の位置に溶着面積拡張部を形成する。
【００１６】
（７）また本発明では、前記構成の綿棒容器において、前記容器本体を複数個、分断可能な接続部を介して連設する。
【００１７】
（８）また本発明では、前記構成の綿棒容器において、連設する容器本体の個数を３とする。
【発明の効果】
【００１８】
（１）綿棒の軸を両側からリブで挟んでいるので、綿球部からしみ出した薬液が万一綿棒の軸の側面を伝わるようなことがあったとしても、それは軸の側面に接触するリブによってせき止められ、軸尾の方まで伝わらない。また、綿球部からしみ出した薬液が軸の下面を伝わってきたとしても、それは枕部によってせき止められ、軸尾の方まで伝わらない。従って、常に薬液に濡れていない軸をつまめることになり、指が薬液で汚れたり、薬液で軸が滑ったりすることがなく、適切且つ安全に綿棒を扱うことができる。
【００１９】
（２）綿棒の軸尾が、平面的に見て、軸尾収納凹部の片側に寄せて保持されるから、軸尾収納凹部に指先を入れて軸尾を引き上げる動作を難なく行うことができる。
【００２０】
（３）容器本体の両側の内壁から互い違いに突出するリブにより軸を挟んで保持するから、軸の弾性を利用して、無理のない、しかも安定した綿棒の保持を行うことができる。
【００２１】
（４）綿棒の綿球部と軸尾の中間部分を収納する中間部分収納凹部は綿球部収納凹部及び軸尾収納凹部よりも浅い。これにより容器の容積が小さくなり、綿棒と共に封入される空気量が減るので、空気が薬液に及ぼす影響を小さくすることができる。また、加熱滅菌時の容器の変形を少なくすることができる。
【００２２】
（５）複数の枕部は、軸尾側のものほど高く形成されているから、綿棒軸は軸尾側が高くなるように傾斜して支持され、軸尾の下に指先を入れやすく、綿棒の取り出しが一層容易になる。
【００２３】
（６）容器本体の上面に形成された蓋体の溶着用凸条は、綿球部収納凹部の中間部の位置に溶着面積拡張部を有するから、軸尾の側から蓋体を剥離して行ったとき、溶着面積拡張部で剥離抵抗が増えるのを感じる。ここで剥離をやめれば、剥離されないで残った蓋体と容器本体とが一種のポケット部を構成する。このポケット部の存在により、綿球部収納凹部が下になるように綿棒容器を傾けるか、あるいは立てたとしても、綿棒容器の中から薬液がこぼれることはなくなる。
【００２４】
また、容器が常に水平を保って運搬されれば良いが、往々にして、傾けられたり、倒立させられたり、天地反転されたりといった扱いを受ける。このような場合、綿球部からしみ出した薬液が、溶着用凸条に至るまでの容器本体の上面と、蓋体との間の隙間にしみ込む。隙間にしみ込んだ薬液が毛管現象で軸尾の方まで伝わると、軸尾の方から蓋体を剥離しても、その指先を汚すことになる。しかしながら本発明の構成によれば、そのような毛管現象によるしみ出しは溶着面積拡張部でせき止められ、軸尾の方まで伝わらない。従って指先を薬液で汚すことを懸念することなく蓋体を剥離することができる。
【００２５】
（７）容器本体を複数個、分断可能な接続部を介して連設したから、箱詰めや保管に便利である。また、必要な個数の容器を切り離して綿棒を必要とする場所に運べば良いので、使い勝手が良い。
【００２６】
（８）連設する容器本体の個数を３としたから、３個の容器を連設状態のまま綿棒を必要とする場所に運べば、１本目の綿棒で皮膚表面の垢、汚れ、有機物などを除去し、２本目の綿棒で油分を除去しながら消毒を行い、３本目の綿棒で消毒効果を徹底させるといった、質の高い消毒を実施することができる。
【発明を実施するための最良の形態】
【００２７】
以下、本発明に係る綿棒容器の実施形態を図１〜８に基づき説明する。図１は蓋体で蓋をした状態の上面図、図２は蓋体を取り去った状態の上面図、図３は垂直断面図、図４は図３のＡ−Ａ線の箇所の断面図、図５は図３のＢ−Ｂ線の箇所の断面図、図６は図３のＣ−Ｃ線の箇所の断面図、図７は蓋体を剥離するときの状況を示す上面図、図８は図７の状態の垂直断面図である。
【００２８】
綿棒１を収納する綿棒容器１０は、容器本体２０とフィルム状の蓋体３０により構成される。容器本体２０は、ポリエチレン、ポリプロピレン、ポリエチレンテレフタレート、ポリ塩化ビニル、ポリ塩化ビニリデン、エチレンー酢酸ビニル共重合体、ポリアクリロニトリル、ポリアミド、ポリスチレンなどの合成樹脂シートを真空成形したり、アルミニウムなどの金属箔や紙、もしくはこれらの積層体、もしくはこれらと合成樹脂シートとの積層体をプレス成形したりして形成することができる。容器本体２０には、保管時や輸送時に外部から加わる圧力に耐え得るよう、必要な強度を持たせるものとする。
【００２９】
蓋体３０は容器本体２０に熱圧着や超音波溶着などの手段で溶着されるものであり、アルミニウムを蒸着したＰＥＴフィルムや、ポリエチレン、ポリプロピレン、ポリエチレンテレフタレートなどの合成樹脂フィルムとアルミニウムなどの金属箔を積層し、ガスバリア性及び水蒸気バリア性を高めたものを用いる。金属箔を両側から合成樹脂フィルムで挟み、３層以上にしたものを用いるのが好ましい。
【００３０】
綿棒１は１個の綿棒容器１０に１本ずつ入れられる。このように１本の綿棒１を収納した綿棒容器１０を３個連設し、出荷時の荷姿とする。３個という数の意味は後で説明する。続いて、個々の綿棒容器１０の構造につき説明する。
【００３１】
容器本体２０は隅丸矩形の細長い平面形状を備え、一端には綿棒１の綿球部２を収納する綿球部収納凹部２１が形成され、他端には綿棒１の軸３の軸尾３ａを収納する軸尾収納凹部２２が形成されている。綿球部収納凹部２１と軸尾収納凹部２２の間には、綿棒１の綿球部２と軸尾３ａの中間部分を収納する中間部分収納凹部２３が形成されている。
【００３２】
図３に見られる通り、中間部収納凹部２３の深さは綿球部収納凹部２１及び軸尾収納凹部２２よりも浅い。綿球部収納凹部２１が深いのは言うまでもなく綿球部２を収納するためであり、軸尾収納凹部２２が深いのは軸尾３ａの下に指を入れて軸尾３ａを引き上げるためである。中間部収納凹部２３は軸３を収納できさえすれば良い訳であるから深くする必要はなく、従って浅くする。このように凹部の深さを一定とせず、深くする必要のない箇所は浅くすることにより、綿棒容器１０の容積を小さくできる。綿棒１と共に封入される空気量も減ることになり、空気が薬液に及ぼす影響を小さくすることができる。また、加熱滅菌時の綿棒容器１０の変形を少なくすることができる。
【００３３】
軸３のうち、綿球部２に隣接する箇所は、綿棒１のネック部である。ネック部は、中間部収納凹部２３のうち、綿球部収納凹部２１に隣接する箇所を通る。この箇所に、ネック部に向かって突出し、軸３を両側から挟んで保持するリブを形成する。
【００３４】
実施形態では、綿棒１の長さ方向に沿って計３個のリブが互いに所定間隔を置いて形成されている。３個のリブとは、綿球部収納凹部２１の方から順に、リブ２４ａ、リブ２４ｂ、及びリブ２４ｃである。これら３個のリブは中間部収納凹部２３の両側の内壁から突出するものであるが、そのうちリブ２４ａと２４ｃは図２において下側に位置する内壁から突出し、リブ２４ｂは上側に位置する内壁から突出する。すなわち中間部収納凹部２３の内壁から３個のリブ２４ａ、２４ｂ、２４ｃが互い違いに突出する。この状況は図２及び図４−６に見られる通りである。
【００３５】
軸３はリブ２４ａ、２４ｃとリブ２４ｂとの間に挟まれ、軸３自身の有する弾性によりたわんで、無理なく、安定して保持される。軸３が中間部収納凹部２３から抜け出さないよう、リブ２４ａ、２４ｂ、２４ｃは上の方ほど軸３の上にせり出す、いわゆるオーバーハング形状にして、軸３に中間部収納凹部２３の底面方向への付勢力が生じるようにしておくとよい。
【００３６】
図２に見られるように、リブ２４ａ、２４ｂ、２４ｃは、綿棒１の綿球部２を綿球部収納凹部２１の中央に保持する一方で、綿棒１の軸尾３ａを軸尾収納凹部２２の片側に寄せて保持する。これは軸尾収納凹部２２に指先を入れて軸尾３ａを引き上げる動作をしやすくするためである。実施形態の寄せ方によれば、綿球収納凹部２１を向こう側に置き、軸尾収納凹部２２を手前側に置いた場合、軸尾３ａの向かって左側に空間が生じる。ここに右手の親指を入れて親指の腹で軸尾３ａを引き上げ、右手の人差し指や中指と親指との間で軸３をつまんで保持することができる。
【００３７】
中間部収納凹部２３の底には、軸３を下から支える枕部が綿棒１の長さ方向に沿って複数箇所に形成されている。実施形態では４箇所に枕部２５ａ、２５ｂ、２５ｃ、２５ｄを配置する。枕部２５ａ、２５ｂ、２５ｃはそれぞれリブ２４ａ、２４ｂ、２４ｃに連続するように形成されている。残る１個の枕部２５ｄは中間部収納凹部２３の枕部２５ａ、２５ｂ、２５ｃから遠い方の端に形成される。
【００３８】
枕部２５ａ、２５ｂ、２５ｃには、図４、５、６に見られるように、軸３を受け入れる半円形の凹部が形成されている。このため、中間部収納凹部２３に軸３を押し込むと、軸３は枕部２５ａ、２５ｂ、２５ｃによって包まれるように支えられることになる。
【００３９】
枕部２５ａ、２５ｂ、２５ｃ、２５ｄはそれぞれ支持面の高さが異なる。すなわち枕部２５ａ、２５ｂ、２５ｃ、２５ｄは、軸尾側のものほど支持面が高く形成され、綿棒１の軸３を、軸尾３ａの側が高くなるように傾斜して支持する。これにより軸尾３ａと軸尾収納凹部２２の底との間の隙間が広がって指先を軸尾３ａの下に入れやすくなり、綿棒１の取り出しが一層容易になる。
【００４０】
容器本体２０の上面には、蓋体３０を熱圧着や超音波溶着などの手段で溶着するための溶着用凸条２６が形成される。溶着用凸条２６は、綿球部収納凹部２１、中間部分収納凹部２３、及び軸尾収納凹部２２を囲むようにループ状に形成される。
【００４１】
溶着用凸条２６には、綿球部収納凹部２１の中間部の位置に溶着面積拡張部２６ａが形成されている。実施形態では、溶着用凸条２６から綿球部収納凹部２１の方に向かい、綿球収納凹部２１にまで届く張出部を、綿球部収納凹部２１を両側から挟むように対称的に設け、これを溶着面積拡張部２６ａとしている。
【００４２】
容器本体２０は３個一組で連設される。容器本体２０同士の境界には、個々の容器本体２０に分断するための分断可能な接続部２７が設けられる。接続部２７は、例えばミシン目をもって分断可能な構造とすることができる。この部分を極く肉薄にしておいてもよい。
【００４３】
蓋体３０は容器本体２０の上面を全面的にカバーするものであるが、容器本体２０にならって、蓋体３０も３個一組で連設されている。また蓋体３０同士の境界には分断可能な接続部３１が設けられている。接続部３１にミシン目を設ける場合、このミシン目は容器本体２０のミシン目と同時に形成することができる。
【００４４】
蓋体３０には個々にピールタブ３２が形成される。ピールタブ３２は軸尾３ａの方の端に設けられている。
【００４５】
綿棒容器１０に綿棒１と薬液を封入する作業は次のようにして行われる。まず、蓋体３０でシールしない状態の容器本体２０に薬液未含浸の綿棒１を入れ、リブ２４ａ、２４ｂ、２４ｃの間に綿棒１のネック部を押し込んで保持させる。このように保持された綿棒１の綿球部２に適正に調製した薬液を所定量滴下し、含浸させる。そのうえで、容器本体２０の上に蓋体３０を置き、溶着用凸条２６に蓋体３０を溶着する。これにより、綿棒１と薬液は綿棒容器１０に封じ込められたことになる。この後、綿棒容器１を加熱滅菌処理すれば、内部にまぎれ込んだ細菌などを熱により減少させることができる。
【００４６】
綿棒容器１０は次のように使用する。未開封の綿棒容器１０から綿棒１を取り出すときは、蓋体３０のピールタブ３２をつまみ、容器本体２０から剥離して行く。綿棒容器１を連設状態に置いたまま蓋体３０を剥離する場合、蓋体３０は接続部３１のところで隣の容器の蓋体３０から切り離されることになる。このようにして綿棒容器１０の上面開口をシールした蓋体３０を除去し、綿棒１を取り出す。
【００４７】
図７に示すように軸尾３ａの方から蓋体３０を剥離して行くと、溶着面積拡張部２６ａに差し掛かったところで剥離抵抗が増えるのを感じる。ここで剥離をやめても、それまでに開けた綿球部収納凹部２１の開口部分から綿球部２を取り出すことができる。剥離されないで残った蓋体３０と容器本体２０とは一種のポケットを構成する。このポケット部の存在により、綿球部収納凹部２１が下になるように綿棒容器１０を傾けるか、あるいは立てたとしても、綿棒容器１０の中から薬液がこぼれることはなくなる。
【００４８】
また、綿球部２からしみ出した薬液が、溶着用凸条２６に至るまでの容器本体２０の上面と、蓋体３０との間の隙間にしみ込むと、しみ込んだ薬液は毛管現象で軸尾の方まで伝わろうとする。しかしながら溶着用凸条２６の途中に溶着面積拡張部２６ａがあり、この溶着面積拡張部２６ａは綿球部収納凹部２１まで届いているので、容器本体２０と蓋体３０の間にしみ込んだ薬液はこの箇所で綿球部収納凹部２１に戻され、軸尾の方まで伝わらない。従って、軸尾の方から蓋体２０を剥離するという手順を守れば、指先を汚すことがない。
【００４９】
綿棒容器１０を保管している間に、綿棒１の綿球部２から薬液がしみ出し、軸３を伝って軸尾３ａの方に流れようとすることがある。そのような薬液は、軸３を包むように下から支える枕部２５ａ、２５ｂ、２５ｃ、２５ｄと、軸３に両側から接触するリブ２４ａ、２４ｂ、２４ｃによってせき止められ、軸尾３ａの方まで伝わらない。従って、常に薬液で濡れていない軸３をつまめることになり、指が薬液で汚れたり、薬液で軸３が滑ったりすることがなく、適切且つ安全に綿棒１を扱うことができる。
【００５０】
綿棒容器１０は、分断可能な接続部２７、３１を利用して連設状態から１個だけ切り離すことができる。従って、綿棒１が３本も必要でないときは、綿棒容器１０を１個か２個、必要な個数だけ切り離して必要とする場所に運ぶことができ、使い勝手が良い。
【００５１】
一方で、綿棒容器１０を３個連設状態のまま医療現場に運べば、次のような質の高い消毒を実施できる。すなわち１本目の綿棒１で皮膚表面の垢、汚れ、有機物などを除去する。２本目の綿棒１では油分を除去しながら消毒を行う。３本目の綿棒１で消毒効果を徹底させる。
【００５２】
また綿棒容器１０を棚などに保管する際は、３個連設のままにしておくのが便利である。
【００５３】
容器本体２０には前述のように必要な強度を持たせてあり、綿棒容器１０は、保管時や輸送時に加わる通常の外圧に十分耐え得る設計となっている。そのため、保管時や輸送時に綿球部２が外圧によって変形し、薬液が押し出されて薬液量の減少を招くようなことがなく、所望量の薬液を綿球部２に含浸し続けさせることができる。
【００５４】
以上本発明の実施形態につき説明したが、この他、発明の主旨から逸脱しない範囲で種々の改変を加えて実施することができる。例えば綿棒の軸を両側から挟んで保持するリブは、実施形態では容器本体の両側の内壁から互い違いに突出させたが、軸の同じ箇所を両側から挟み付けるよう、軸を中心として対称的に形成してもよい。
【産業上の利用可能性】
【００５５】
本発明は、外科医療資材としての綿棒を薬液含浸状態で供給する際に利用可能である。
【図面の簡単な説明】
【００５６】
【図１】蓋体で蓋をした状態の綿棒容器の上面図
【図２】蓋体を取り去った状態の綿棒容器の上面図
【図３】綿棒容器の垂直断面図
【図４】図３のＡ−Ａ線の箇所の断面図
【図５】図３のＢ−Ｂ線の箇所の断面図
【図６】図３のＣ−Ｃ線の箇所の断面図
【図７】蓋体を剥離するときの状況を示す上面図
【図８】図７の状態の垂直断面図
【符号の説明】
【００５７】
１    綿棒
２    綿球部
３    軸
１０  綿棒容器
２０  容器本体
２１  綿球部収納凹部
２２  軸尾収納凹部
２３  中間部分収納凹部
２４ａ、２４ｂ、２４ｃ  リブ
２５ａ、２５ｂ、２５ｃ、２５ｄ  枕部
２６  溶着用凸条
２６ａ  溶着面積拡張部
２７  接続部
３０  蓋体
３１  接続部
【図１】
2006036227.tif 000003
【図２】
2006036227.tif 000004
【図３】
2006036227.tif 000005
【図４】
2006036227.tif 000006
【図５】
2006036227.tif 000007
【図６】
2006036227.tif 000008
【図７】
2006036227.tif 000009
【図８】
2006036227.tif 000010